(57)【特許請求の範囲】
【請求項１】
複数の保護パネルを並設して斜面を形成するとともに、その斜面を形成する前記保護パネル内に充填材を充填して斜面を有する構造物を構築する斜面構造物の構築方法であって、
段状に並設された前記保護パネルの各段の側端と前記斜面構造物を設置する地山との間の前記斜面外側に形成される隙間空間に合わせて金網を切断する金網切断工程と、切断した前記金網を前記側端において前記斜面と略直交する方向に立設する金網立設工程と、立設した前記金網まで前記斜面の外側に外部充填材を充填する斜面外部充填工程と、を備えること
を特徴とする斜面構造物の構築方法。
【請求項２】
前記斜面外部充填工程では、前記外部充填材として前記保護パネル内に充填した充填材と同じ充填材を前記斜面の外側に充填すること
を特徴とする請求項１に記載の斜面構造物の構築方法。
【請求項３】
前記斜面外部充填工程で充填した前記外部充填材の上に、前記保護パネルを据え付ける基礎となる基礎均しコンクリートを打設する中間基礎均しコンクリート打設工程を有すること
を特徴とする請求項１又は２に記載の斜面構造物の構築方法。
【請求項４】
前記保護パネルとして、曲げ剛性を強化するため屈曲加工されたスチールパネルが使用されていること
を特徴とする請求項１ないし３のいずれかに記載の斜面構造物の構築方法。
【請求項５】
前記充填材及び／又は前記外部充填材として、土砂に固化材を混ぜ合わせたソイルセメントが使用されていること
を特徴とする請求項１ないし４のいずれかに記載の斜面構造物の構築方法。
【発明の詳細な説明】
【技術分野】
【０００１】
本発明は、複数の保護パネルを並設して斜面を形成するとともに、その斜面を形成する保護パネル内に充填材を充填して斜面構造物を構築する斜面構造物の構築方法に関する。
【背景技術】
【０００２】
従来、堰堤や擁壁などの斜面を有する土木構造物（斜面構造物）は、コンクリートを打設して構築されるコンクリート構造物が一般的であった。例えば、特許文献１には、鋼矢板をコンクリート型枠兼用の外壁材として用い、その内側へコンクリートを充填して構築する土木構造物の構築方法が開示されている（特許文献１の特許請求の範囲の請求項１、明細書の段落［００１８］、図面の図１等参照）。
【０００３】
しかし、近年、地山を掘削してこれらの構造物を構築する場合、掘削により発生する土砂を運搬する運搬費や仮置き廃棄などに掛かる処分費などの費用が嵩むことや環境破壊につながることなどの理由から極力発生する土砂を少なくするため、複数の保護パネルを並設して斜面を形成するとともに、掘削により発生した土砂とセメントミルクなどを混ぜ合わせたソイルセメントを、斜面を形成する保護パネル内に充填しての斜面構造物を構築する斜面構造物の構築方法が提案されている。
【０００４】
このようなソイルセメント等を充填して斜面構造物を構築する斜面構造物の構築方法では、特許文献２の明細書の段落［００１６］等に記載されているように、地山と外部保護材との間の隙間を埋めるための間詰めコンクリート１２０の型枠設置、コンクリートの養生期間、型枠解体等に多大な作業日数が費やされており、作業遅延の主な要因となっているという問題があった。
【０００５】
このような問題を解決するべく、特許文献２には、堰堤本体の上流側面と下流側面を外部保護材で被覆してなる砂防堰堤を施工する砂防堰堤の施工方法であって、前記外部保護材の下端部を支持する基礎均しコンクリートを形成する工程と、該基礎均しコンクリートの上に前記外部保護材を組み立てる工程と、前記外部保護材と地山との間に間詰めを形成する工程と、前記外部保護材の間に内部材を打設する工程とを備え、前記間詰めは、前記地山と前記外部保護材との間の隙間の形状と略同一形状の面板と、該面板の側縁に連結された縦板と、前記面板の上縁と前記縦板の上端部に連結された横板とからなり、前記基礎均しコンクリートに連結されていない外部保護材の下端部は前記間詰めの横板の上に連結されている砂防堰堤の施工方法が開示されている（特許文献２の特許請求の範囲の請求項７、明細書の段落［００４０］〜［００４９］、図面の図７、図９等参照）。
【０００６】
この特許文献２に記載の砂防堰堤の施工方法によれば、砂防堰堤の各施工工程において、間詰めコンクリートの型枠設置、コンクリート打設、養生、型枠撤去など、施工に要する日数の割合が高いコンクリート製の間詰めの形成のための工程が無くなり、簡易な間詰めを取り付けるだけの作業になるので、砂防堰堤を短期間に施工することができるという利点があるとされている。
【０００７】
しかし、特許文献２に記載の砂防堰堤の施工方法では、間詰め２０として、地山と外部保護材１４，１６との間の隙間の形状と略同一形状の面板２２を作成する必要があり、急斜面にある前記隙間を測定して、その測定結果に合わせて鋼板からなる間詰め２０の面板２２を、現地で加工することが困難であるという問題があった。また、加工に手間が掛かる上、鋼材からなる縦板２４や横板２６なども必要であり、間詰め２０の材料費が高くつくため結果的に築造コストが嵩んでしまうという問題もあった。
【先行技術文献】
【特許文献】
【０００８】
【特許文献１】特開２００２−２１２９３３号公報
【特許文献２】特開２０１４−１９０１００号公報
【発明の概要】
【発明が解決しようとする課題】
【０００９】
そこで、本発明は、前述した問題に鑑みて案出されたものであり、その目的とするところは、間詰めコンクリートの型枠設置等の手間のかかる作業を省略して短期間で斜面構造物を構築することができ、且つ、材料費を低減して築造コストを削減することができる斜面構造物の構築方法を提供することにある。
【課題を解決するための手段】
【００１０】
第１発明に係る斜面構造物の構築方法は、複数の保護パネルを並設して斜面を形成するとともに、その斜面を形成する前記保護パネル内に充填材を充填して斜面を有する構造物を構築する斜面構造物の構築方法であって、段状に並設された前記保護パネルの各段の側端と前記斜面構造物を設置する地山との間の前記斜面外側に形成される隙間空間に合わせて金網を切断する金網切断工程と、切断した前記金網を前記側端において前記斜面と略直交する方向に立設する金網立設工程と、立設した前記金網まで前記斜面の外側に外部充填材を充填する斜面外部充填工程と、を備えることを特徴とする。
【００１１】
第２発明に係る斜面構造物の構築方法は、第１発明において、前記斜面外部充填工程では、前記外部充填材として前記保護パネル内に充填した充填材と同じ充填材を前記斜面の外側に充填することを特徴とする。
【００１２】
第３発明に係る斜面構造物の構築方法は、第１発明又は第２発明において、前記斜面外部充填工程で充填した前記外部充填材の上に、前記保護パネルを据え付ける基礎となる基礎均しコンクリートを打設する中間基礎均しコンクリート打設工程を有することを特徴とする。
【００１３】
第４発明に係る斜面構造物の構築方法は、第１発明ないし第３発明のいずれかの発明において、前記保護パネルとして、曲げ剛性を強化するため屈曲加工されたスチールパネルが使用されていることを特徴とする。
【００１４】
第５発明に係る斜面構造物の構築方法は、第１発明ないし第４発明のいずれかの発明において、前記充填材及び／又は前記外部充填材として、土砂に固化材を混ぜ合わせたソイルセメントが使用されていることを特徴とする。
【発明の効果】
【００１５】
第１発明〜第５発明によれば、従来必要であった間詰めコンクリートの型枠設置、解体等の手間のかかる作業を省略して短期間で斜面構造物を構築することができ、且つ、材料費を低減して築造コストを削減することができる。また、金網立設工程で設置するのが金網であるため、鋼板等と比べて安価であり捨て枠としても設置費用を抑えることができる。その上、金網切断工程で切断するのが金網であるため、金切り鋏やニッパー等を用いて人力で切断可能である。このため、溶断用のガスボンベを設置したり、切断カッター用の電源を引いたりする必要がない。その上、外部充填工程において、金網で外部充填材を堰き止めることができるとともに、金網の隙間から雨水を逃がすことができ、施工中に雨水が溜まって後工程の作業に支障をきたすおそれがない。
【００１６】
特に、第２発明によれば、斜面外部充填工程では、外部充填材として保護パネル内に充填した充填材と同じ充填材を斜面の外側に充填するので、外部充填材として充填材と別のものを容易する必要がなくなる上、保護パネル内に充填材を充填する充填材充填工程と連続して斜面外部充填工程を行うことができ、次工程の転圧工程でも連続して充填材と外部充填材を転圧して締め固めることができる。このため、さらに短期間で斜面構造物を構築することができる。
【００１７】
特に、第３発明によれば、従来の間詰めコンクリートより打設するコンクリートを低減して材料費を低減できる上、鋼材上に保護パネル（斜面構造体）を取り付ける場合と比べて風により振動することもなく、安定して保護パネルを支持することができる。
【００１８】
特に、第４発明によれば、保護パネルとして曲げ剛性を強化するため屈曲加工されたスチールパネルを使用するので、必要強度の割に軽量で安価なスチールパネルを使用することで、材料費を低減することができるだけでなく、保護パネルを設置する際に使用するクレーン等の揚重機のサイズダウンにより斜面構造物の設置費用をさらに削減することができる。さらに、１枚１枚運ぶことにより人力で揚重及び取り付け作業を行うことも可能となる。
【００１９】
特に、第５発明によれば、充填材及び／又は外部充填材として土砂に固化材を混ぜ合わせたソイルセメントを使用するので、掘削により発生する土砂を運搬する運搬費やその土砂の処分費などの費用を低減することができる。また、環境破壊も防止することができる。
【図面の簡単な説明】
【００２０】
【図１】本発明の実施形態に係る斜面構造物の構築方法により構築する斜面構造物を谷（沢）の上流側から見た斜視図である。
【図２】同上の斜面構造物の構成を示す鉛直断面図である。
【図３】同上の斜面構造物の構成を説明するため充填材が未充填の状態を下流側から一部を切断して示す斜視図である。
【図４】同上の斜面構造物の上流側斜面体の構成を主に示す裏面斜視図である。
【図５】同上の上流側斜面体を構成する鋼矢板を示す図面であり、Ａ図が鋼矢板の長手方向を縦に配置した正面図、Ｂ図が鋼矢板の長手方向の上端面である小口を示す平面図である。
【図６】図４の上流側斜面体の一段目の鋼矢板を設置した状態を示す斜視図である。
【図７】図２の斜面構造物の下流側斜面体の構成を主に示す裏面斜視図である。
【図８】同上の下流側斜面体を構成するコンクリートパネルを示す図面であり、Ａ図がコンクリートパネルの長手方向を横に配置した正面図、Ｂ図が鋼矢板の長手方向の右端面である小口を示す右側面図である。
【図９】同上のコンクリートパネルの他の実施形態を示す図面であり、Ａ図がコンクリートパネルの長手方向を横にした正面図、Ｂ図が鋼矢板の長手方向の右端面である小口を示す右側面図である。
【図１０】同上の斜面構造物の施工途中を下流側斜面体の裏面側から見た状態を示す斜視図である。
【図１１】本発明の別の実施形態に係る斜面構造物の上流側斜面を示す上流側立面図である。
【図１２】同上の斜面構造物の下流側斜面を示す下流側立面図である。
【図１３】同上の斜面構造物の構成を示す鉛直断面図である。
【図１４】本発明の実施形態に係る斜面構造物の構築方法のフローチャートである。
【図１５】同上の斜面構造物の構築方法の地山掘削工程を示す工程説明図である。
【図１６】同上の斜面構造物の構築方法の基礎均しコンクリート打設工程を示す工程説明図である。
【図１７】同上の斜面構造物の構築方法の保護パネル組立工程及び充填材充填工程を示す工程説明図である。
【図１８】同上の斜面構造物の構築方法の金網切断工程、金網立設工程、斜面外部充填工程等を示す工程説明図である。
【図１９】同上の斜面構造物の構築方法の金網立設工程、斜面外部充填工程等を示す斜視図である。
【発明を実施するための形態】
【００２１】
以下、本発明の実施形態に係る斜面構造物の構築方法について、図面を参照しながら詳細に説明する。
【００２２】
［斜面構造物の構成］
先ず、図１〜図１０を用いて、本発明の実施形態に係る斜面構造物の構築方法で構築する斜面構造物の構成について説明する。図１に示すように、実施形態に係る斜面構造物として、谷（沢）に土石流を防ぐために設けられる砂防堰堤を例に挙げて説明する。
【００２３】
本実施形態に係る斜面構造物である砂防堰堤１は、図１等に示すように、谷（沢）を流れる河川を堰き止めるように鉛直断面が概略台形状の堤体１０が築造されたソイルセメント重力式の不透過型の砂防堰堤であり、河川の中央付近に下流域に水を流す越流部１１が設けられている。
【００２４】
この砂防堰堤１は、図２に示すように、堤体１０の内部を構成する内部材である充填材２と、堤体１０の外側表面を覆って保護する上流側斜面体３及び下流側斜面体４と、堤体１０の頂部の天端面を覆って保護するキャッピングコンクリートである天端コンクリート５など、から構成されている。
【００２５】
＜充填材＞
本実施形態に係る充填材２は、いわゆるソイルセメントであり、現地において掘削等で発生した発生土砂と固化材とが撹拌混合されたうえ、上流側斜面体３と下流側斜面体４の間に充填される。この充填材２は、発生土砂に含まれる水分と固化材のセメント成分との水和反応により水和物が土砂の粒子を包含しつつ固化することで堤体１０の所定形状を安定的に維持するとともに、堤体１０の大部分の重量を占め土石流にその重量で対抗する機能を有している。
【００２６】
発生土砂は、ふるいにかけて粒度が調整されるとともに、含水比が測定されて固化材の配合が決定される。充填材２には、必要に応じてクラッシャーラン等を混入してもよい。
【００２７】
本実施形態に係る固化材は、安価であり、化学反応により発生する熱量が比較的少ないためセメント系の固化材が用いられている。しかし、本発明に係る固化材は、石灰系の固化材でも良いし、発生土砂に応じて特殊土用固化材や高分子凝集剤なども使用可能である。要するに、本発明に係る固化材は、発生土砂の粒子を包み込んで固化するものであれば適用可能である。
【００２８】
以上、本実施形態に係る充填材２としてソイルセメントを例示したが、本発明に係る充填材は、土石流に対抗できる重量があればよいので、土砂だけを使用することも可能である。また、施工費が高くなるが、特許文献１に記載された発明のように、充填材としてコンクリートを打設しても構わない。
【００２９】
このように、本実施形態に係る充填材２としてソイルセメントを使用するので、掘削により発生する発生土砂を運搬する運搬費やその土砂の処分費などの費用を低減することができる。また、環境破壊も防止することができる。
【００３０】
＜上流側斜面体＞
砂防堰堤１の上流側斜面体３は、図３、図４に示すように、外側表面を覆って保護する複数枚の保護パネル３０と、これらの保護パネル３０の脚部が撓まないように支持する１条の基礎梁３１と、この基礎梁３１に取り付けられ上流側斜面体３が所定の傾斜角度となるように支持する複数個のアングル材３２と、保護パネル３０の腹部が撓まないように支持する複数段の腹起し材３３と、保護パネル３０の上端に沿って設けられる１条の堤冠材３４など、から構成されている。
【００３１】
（保護パネル）
土石流の衝撃荷重に耐え得る強度が要求されることと、人力で運搬取り付けが可能な重量であることなどの理由から、上流側斜面体３に用いられる本実施形態に係る保護パネル３０には、図５に示す軽量鋼矢板が採用されている。この軽量鋼矢板は、一般構造用圧延鋼材（SS400）からなる厚さ４ｍｍの軽量鋼矢板であり、防錆のため外表面に塗装が施されている。
【００３２】
この保護パネル３０は、図６等に示すように、長手方向の端部が揃って強度的な弱点ができないように上下端が互い違いにずれた馬貼り状に、且つ、凸面と凹面とが交互になるように取り付けられている。保護パネル３０同士の接合は、図５Ｂに示した軽量鋼矢板の短手方向の端部（左右の縁）同士を対称に掛け止めて、左右にズレないように接合されている。
【００３３】
勿論、この保護パネルには、軽量鋼矢板以外であっても曲げ剛性を高めるため屈曲加工されたデッキプレートや波板鋼板などの他のスチールパネルも好適に用いることができる。保護パネルとして必要強度の割に軽量で安価なスチールパネルを使用することで、材料費を低減することができるだけでなく、保護パネルを設置する際に使用するクレーン等の揚重機のサイズダウンにより斜面構造物の設置費用をさらに削減することができる。さらに、１枚１枚運ぶことにより人力で揚重及び取り付け作業を行うことも可能となる。
【００３４】
但し、この保護パネルには、所望の強度を有するものであれば、樹脂パネルなど鋼材以外からなるパネル材を採用することも可能である。
【００３５】
（基礎梁）
基礎梁３１は、防錆のため外表面に塗装が施された一般構造用圧延鋼材（SS400）からなる溝形鋼（125×65×6×8）であり、図６等に示すように、後述のアングル材３２及び鉄筋コンクリートからなる基礎均しコンクリートＦ１に固定されている。また、基礎梁３１同士の連結は、基礎梁３１の端部同士を突き合わせて、それらを山形鋼（L-65×65×6）からなる接合アングルで連結・接合している。
【００３６】
（アングル材）
アングル材３２は、防錆のため外表面に塗装が施された一般構造用圧延鋼材（SS400）からなる山形鋼（L-65×65×6）が三角形状に組み合わされた部材であり、保護パネル３０に沿った柱材３２ａと、基礎均しコンクリートＦ１に沿って取り付けられるつなぎ材３２ｂと、これら柱材３２ａとつなぎ材３２ｂとを繋ぐ斜材であるサポート材３２ｃなどから構成されている。また、アングル材３２は、つなぎ材３２ｂが基礎均しコンクリートＦ１にアンカーボルトで固定されることで、上流側斜面体３を基礎均しコンクリートＦ１上に所定角度で据え付ける機能を有している。
【００３７】
（腹起し材）
腹起し材３３は、防錆のため外表面に塗装が施された一般構造用圧延鋼材（SS400）からなる山形鋼（L-75×75×6）からなり、図示形態では、４段に亘って設けられている。この腹起し材３３は、保護パネル３０を止め付けて、保護パネル３０が上流側へ膨らんだり、下流側へ凹んだりすることを防ぐ機能を有している。また、腹起し材３３同士の連結は、腹起し材３３の端部同士を突き合わせて、それらを厚さ６ｍｍの帯鋼（PL-6×119×513.4）からなる接合プレートで連結・接合している。
【００３８】
（アンカー材）
また、この腹起し材３３には、図４等に示すように、D19の異形鉄筋（SD295）の先端に曲げ加工によりフックが形成されたアンカー材３５が、所定間隔毎に充填材２の内部へ向け突設されている。このアンカー材３５は、腹起し材３３を充填材２に定着させて腹起し材３３ごと複数枚の保護パネル３０の連結体が外部（上流側）へ膨らむことを防止する機能を有している。
【００３９】
（堤冠材）
堤冠材３４は、防錆のため外表面に塗装が施された一般構造用圧延鋼材（SS400）からなる溝形鋼（125×65×6×8）であり、保護パネル３０の上端を覆って上流側斜面体３全体の上端の曲げ強度を高める機能を有している。なお、この堤冠材３４については、後で詳述する。
【００４０】
＜下流側斜面体＞
砂防堰堤１の下流側斜面体４は、図３、図７に示すように、外側表面を覆って保護する複数枚の保護パネル４０と、これらの保護パネル４０の左右両端の脚部を所定の傾斜角度に固定する複数個の支持アングル４１と、保護パネル４０同士を上下に連結する複数個の上下連結材４２と、保護パネル４０同士を左右に連結する左右連結材である複数枚のペーシー４３など、から構成されている。
【００４１】
（保護パネル）
土石流の直撃は考えにくいこと、及び下流域からも常に見渡せる面であることなどの理由から、下流側斜面体４に用いられる本実施形態に係る保護パネル４０には、意匠性の高い図８に示すコンクリートパネルが採用されている。このコンクリートパネルは、厚さ150ｍｍの鉄筋コンクリート製の立面視横長な矩形（幅1495×高さ1020）の平板パネルであり、裏面の四隅付近に後述のアンカー材４４を掛け止めるフック４０ａが設置されている。
【００４２】
また、この保護パネル４０も、図１０、図７等に示すように、保護パネル３０と同様に、パネル同士の上端又は下端が揃って強度的な弱点ができないように、上下端が互い違いとなった馬貼り状に取り付けられている。
【００４３】
なお、保護パネルとして、表面（下流側となる側面）が滑面タイプのものを例示して説明したが、図９に示すように、さらに意匠性を向上させた石積み模様タイプの保護パネル４０’とすることもできる。また、前述の保護パネル３０と同じ鋼矢板などの屈曲加工されたスチールパネルとしてもよい。さらに、下流側に設置される保護パネルなので、河川による浸食等を考慮しなくてもよいため、排水性を高めるため多数の孔が設けられたエキスパンドパネルなどとすることもできる。
【００４４】
（支持アングル）
支持アングル４１は、防錆のため外表面に塗装が施された一般構造用圧延鋼材（SS400）からなる山形鋼（L-125×75×7）が三角形状に組み合わされた部材であり、保護パネル４０に沿った長さ480ｍｍの柱材４１ａと、基礎均しコンクリートＦ２に沿って取り付けられる長さ480ｍｍの底辺材４１ｂと、これら柱材４１ａと底辺材４１ｂとを繋ぐ長さ600ｍｍの斜材４１ｃなどから構成されている。また、図７に示すように、支持アングル４１は、底辺材４１ｂが基礎均しコンクリートＦ２にアンカーボルトで固定されることで、１段目の保護パネル４０を鉄筋コンクリート製の基礎均しコンクリートＦ２上に所定角度で据え付ける機能を有している。
【００４５】
（上下連結材）
上下連結材４２は、防錆のため外表面に塗装が施された一般構造用圧延鋼材（SS400）製の山形鋼（L-125×75×7）からなる、長さ810ｍｍの部材であり、図７に示すように、保護パネル４０の裏面に埋設されたインサートにボルト止めされることで、上下の保護パネル４０同士を連結する機能を有している。なお、インサートは、回転防止のためパネル毎に２か所ずつ埋設されている。
【００４６】
（左右連結材）
左右連結材であるペーシー４３は、防錆のため外表面に塗装が施された一般構造用圧延鋼材（SS400）からなる厚さ4.5ｍｍの平鋼（4.5×60×280）であり、図７に示すように、保護パネル４０の裏面に埋設されたインサートにボルト止めされることで、左右の保護パネル４０同士を連結する機能を有している。
【００４７】
（アンカー材）
アンカー材４４は、D16の異形鉄筋（SD295）からなり、両端に曲げ加工によりフックが形成されている部材である。このアンカー材４４は、一方のフックが保護パネル４０のフック４０ａに掛け止められ、他方のフックが充填材２内に挿置されることにより、保護パネル４０を充填材２に定着させて複数枚の保護パネル４０の連結体が外部（上流側）へ膨らむことを防止する機能を有している。
【００４８】
［斜面構造物の構築方法］
次に、図１１〜図１９を用いて、本発明の実施形態に係る斜面構造物の構築方法について説明する。図１１〜図１３に示すように、斜面構造物として前述の砂防堰堤１と同様の砂防堰堤１’を築造する場合で説明する。なお、砂防堰堤１と同一構成は同一符号を付し説明を省略する。図１１が、砂防堰堤１’の上流側斜面を主に示す上流側立面図であり、図１２が、砂防堰堤１’の下流側斜面を主に示す下流側立面図であり、図１３が、砂防堰堤１’の鉛直断面図である。要するに、砂防堰堤１’と砂防堰堤１とは、保護パネルの組合せ形と堤体１０’と堤体１０の形状が相違するだけである。
【００４９】
（１）地山掘削工程
図１４に示すように、先ず、地山Ｇを砂防堰堤１’の設計に合わせて、図１５、図１６に示す所定形状に掘削する。
【００５０】
（２）基礎均しコンクリート打設工程
そして、測量等で上流側斜面体３及び下流側斜面体４の位置を出し、仮枠を設置して、所定の異形鉄筋を配筋したうえ、その仮枠内にコンクリートを打設して、上流側斜面体３及び下流側斜面体４のぞれぞれの下方に前述の基礎均しコンクリートＦ１，Ｆ２を打設する（図１５、図１６参照）。その後、仮枠を撤去する。
【００５１】
（３）保護パネル組立工程
次に、コンクリートＦ１，Ｆ２上に、アングル材３２や支持アングル４１をセットし、保護パネル３０，４０を馬貼り状に互い違いに並設して取り付け、上流側斜面体３及び下流側斜面体４の１段目を組み立てていく（図６、図１０も参照）。このとき、保護パネル３０は、クレーンや重機でまとめて堤体１０の頂部付近に揚重した後は、軽量であるため作業員が人力で設置することができる。なお、保護パネル４０は重いため設計法勾配に合わせた吊り冶具やクレーン等の揚重装置を利用して設置する。
【００５２】
（４）充填材充填工程
次に、砂防堰堤１’の築造現場とは、別ヤードで発生土砂と固化材とを混ぜ合わせた前述のソイルセメントからなる充填材２をダンプトラック等で搬入して、充填材２をアンカー材３５，４４の高さまで充填し、ブルドーザやバックホーなどで敷き均す。
【００５３】
（５）金網切断工程
また、本実施形態に係る斜面構造物の構築方法では、充填材充填工程と並行して、次工程で金網６を上流側斜面体３と略直交する方向に立設するため、図１１に示す段状に並設された保護パネル３０の各段の側端Ｘにおいて、図１７〜図１９に示すように、地山Ｇと上流側斜面体３の延長線の外側との間に形成される隙間空間Ｙに合わせて金網６を逆台形状（図１７の一点鎖線、図１９参照）に切断する。
【００５４】
このとき、切断するのが金網６であるため、金切り鋏やニッパー等を用いて人力で切断することができる。このため、溶断用のガスボンベを設置したり、切断カッター用の電源を引いたりする必要がないというメリットがある。
【００５５】
なお、本実施形態に係る金網６は、鋼板から形成されたエキスパンドメタルであるが、後述の支持棒７と一体となって外部充填材２’の土圧に耐えられるだけの強度や剛性があり、且つ、人力で切断容易であれば、ラス網、溶接金網、クリンプ金網等他の金網でも代替可能である。
【００５６】
（６）金網立設工程
そして、図１９、図１８に示すように、逆台形状に切断した金網６を保護パネル３０の各段の側端Ｘ（図１１等参照）において上流側斜面体３の斜面と略直交する方向に立設して、外部充填材２’の捨て枠とする。ここで、略直交とは、上流側斜面体３の斜面と平行又は斜面に沿って金網６を立て付けるのではなく、斜面と立設する金網６の面が直交するように交わる方向に設置することを意味し、厳密に垂直であることを意味していない。
【００５７】
このとき、金網６の外側（隙間空間Ｙの外側）には、土圧に対抗するため、支持棒７を格子状に組んで設置し、支持させるようにする。本実施形態に係る支持棒７には、安価なD13〜D19程度の異形鉄筋（SD295）が採用されているが、土圧に対抗し得る棒材であれば、素材に拘わらず採用可能である。
【００５８】
また、本実施形態に係る斜面構造物の構築方法では、金網６と支持棒７との固定は、溶接により固定しているが、勿論、結束線やなまし鉄線等で固定してもよいし、樹脂からなる結束バンド等で固定しても構わない。
【００５９】
このように、金網６を側端Ｘに立設することにより、地山Ｇと上流側斜面体３の延長線の外側との間に形成される隙間空間Ｙ（図１９等参照）の一面を金網６で堰き止めることができるとともに、隙間空間Ｙの他の面は、全て地山Ｇで囲まれているため他の型枠を設置する必要がなくなる。なお、従来の構築方法による間詰めコンクリートの打設の際は、打設のタイミングとして充填材の充填前であるため、堤体の端部にも型枠が必要であった。
【００６０】
その上、捨て枠として金網６を設置するので、金網６の隙間から雨水を逃がすことができ、施工中に雨水が溜まって後工程の作業に支障をきたすおそれがない。
【００６１】
（７）斜面外部充填工程
次に、本実施形態に係る斜面構造物の構築方法では、金網立設工程で立設した金網６を捨て枠として、上流側斜面体３の斜面外部となっている隙間空間Ｙ（図１９等参照）に金網６まで外部充填材２’を充填する。
【００６２】
この外部充填材２’は、前述の充填材２と同じソイルセメントであるが、保護パネル３０内の内部充填材より、さらに強度が必要とされないので、固化材を混入しない発生土砂だけでも十分である。しかし、固化材等を混入する分材料費が高くなるが、外部充填材２’と充填材２と同材料とすることにより、斜面外部充填工程を充填材充填工程と連続して行うことができ、作業効率が向上する。
【００６３】
（８）転圧工程
次に、敷き均した充填材２及び外部充填材２’の上を振動ローラで走行したり、ブルドーザで走行したりして充填材２を転圧して締め固める。勿論、転圧機やランマ等で転圧してもよい。
【００６４】
（９）アンカー材設置工程
次に、転圧して締め固めた充填材２の上に、アンカー材３５，４４を載置（セット）し、一端を保護パネル３０，４０に取り付ける。なお、図１７に示すように、保護パネル４０と、保護パネル３０のアンカー材３５，４４の設置高さが違うため、複数回に分けて、充填材２を充填することとなるが、前述の転圧工程は、アンカー材設置の全てのタイミングにおいて行う必要はない。転圧して締め固めるために必要な回数は、充填材２の厚みや粘度等から適宜判断すればよい。
【００６５】
次に、上流側斜面体３の２段目、３段目という具合に、保護パネル組立工程→充填材充填工程→斜面外部充填工程→転圧工程→アンカー材設置工程を繰り返す。
【００６６】
（１０）中間基礎均しコンクリート打設工程
そして、図１８等に示すように、保護パネル３０の各段の下方に設置される中間基礎均しコンクリートＦ３の高さまで外部充填材２’の充填がされた場合は、基礎均しコンクリートＦ１と同様に仮枠を設置し、所定の異形鉄筋を配筋して鉄筋コンクリートからなる中間基礎均しコンクリートＦ３のコンクリートを打設する。
【００６７】
（１１）型枠設置工程
その後、最上段の保護パネル組立工程→充填材充填工程→斜面外部充填工程→転圧工程→アンカー材設置工程を行い、保護パネル３０（４０）の上端に沿って上方へ延伸する天端コンクリート５の型枠を設置する。なお、上流側斜面体３には、上面に平面を有する堤冠材３４が設置されているので、その堤冠材３４の平面に直角の角を有する型枠の設置作業を効率よく行うことができる。このため、型枠設置作業を短時間で行うことができる。
【００６８】
（１２）天端コンクリート打設工程
次に、前工程で設置した型枠内にコンクリートを打設して、充填材２の天端を雨水の浸食から保護する天端コンクリート５を構築する。
【００６９】
（１３）仮設材撤去工程
次に、天端コンクリート５の型枠及び仮設足場などの仮設材を撤去して斜面構造物である砂防堰堤１’の構築が終了する。
【００７０】
以上説明した本発明の実施形態に係る斜面構造物の構築方法によれば、従来必要であった間詰めコンクリートの型枠設置、解体等の手間のかかる作業を省略して短期間で斜面構造物を構築することができる。また、従来の間詰めコンクリートより打設するコンクリートの容量を低減した中間基礎均しコンクリートＦ３とすることができ、材料費を低減することができる。
【００７１】
また、本実施形態に係る斜面構造物の構築方法によれば、エキスパンドメタルからなる金網６や異形鉄筋（棒鋼）からなる支持棒７を捨て枠とすることで、従来必要であったコンクリート型枠の作業工賃を大幅に削減することができる。
【００７２】
その上、本実施形態に係る斜面構造物の構築方法によれば、特許文献２に記載の発明の鋼板等と比べても、同発明にも中間基礎均しコンクリートに相当するものが必要であることを勘案すると、金網６と支持棒７と外部充填材２’の材料費だけで鋼材等の加工手間が一切かからない本実施形態に係る斜面構造物の構築方法が、斜面構造物である砂防堰堤１’の築造コストを大幅に削減することができるのは明らかである。
【００７３】
また、本実施形態に係る斜面構造物の構築方法によれば、特許文献２に記載の発明のように、鋼材上に保護パネル３０（上流側斜面体３）を取り付ける場合と比べて風により振動することもなく、安定して保護パネル３０を支持することができる。
【００７４】
以上、本発明の実施形態に係る斜面構造物の構築方法及びその方法により構築された斜面構造物について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【００７５】
特に、斜面構造物として上流側斜面体と下流側斜面体の２つの斜面を有する斜面構造物を例に挙げて説明したが、河川の護岸の擁壁など、一方にのみ斜面を有する斜面構造物にも適用できる。
【００７６】
また、砂防堰堤を例に挙げたが、斜面構造物の用途も砂防等に限られず、通常の堰堤や擁壁等、様々な用途に適用できる。要するに、一面であれ斜面を有する斜面構造物には本発明を適用できるものである。
【符号の説明】
【００７７】
１，１’                        ：砂防堰堤（斜面構造物）
１０，１０’                    ：堤体
１１，１１’                    ：越流部
２                              ：充填材
２’                            ：外部充填材
３                              ：上流側斜面体
３０                            ：保護パネル
３１                            ：基礎梁
３２                            ：アングル材
３３                            ：腹起し材
３４                            ：堤冠材
ＰＬ                            ：平鋼板
３５                            ：アンカー材
４                              ：下流側斜面体
４０，４０’                    ：保護パネル
４０ａ，４０ａ’                ：フック
４１                            ：支持アングル
４２                            ：上下連結材
４３                            ：ペーシー（左右連結材）
４４                            ：アンカー材
５                              ：天端コンクリート
６                              ：金網
７                              ：支持棒
Ｆ１，Ｆ２                      ：基礎均しコンクリート
Ｆ３                            ：中間基礎均しコンクリート
Ｇ                              ：地山
Ｘ                              ：保護パネルの側端
Ｙ                              ：隙間空間
【図１】
0006463198.tif 000002
【図２】
0006463198.tif 000003
【図３】
0006463198.tif 000004
【図４】
0006463198.tif 000005
【図５】
0006463198.tif 000006
【図６】
0006463198.tif 000007
【図７】
0006463198.tif 000008
【図８】
0006463198.tif 000009
【図９】
0006463198.tif 000010
【図１０】
0006463198.tif 000011
【図１１】
0006463198.tif 000012
【図１２】
0006463198.tif 000013
【図１３】
0006463198.tif 000014
【図１４】
0006463198.tif 000015
【図１５】
0006463198.tif 000016
【図１６】
0006463198.tif 000017
【図１７】
0006463198.tif 000018
【図１８】
0006463198.tif 000019
【図１９】
0006463198.tif 000020